(57)【特許請求の範囲】
【請求項１】
回転トルクが入力される入力軸と、この入力軸に結合されて入力軸と一体で回転する入力側ディスクと、この入力側ディスクとの間に設けられたパワーローラを介して入力側ディスクの回転力を所定の変速比で受ける出力側ディスクと、前記入力側ディスクの背面に配置され且つ前記入力側ディスクを軸方向へ押圧する押圧装置と、前記入力軸の外周面に形成されたネジ部に螺合され且つ前記ディスクの背面に突き当たることにより当該ディスクが前記押圧装置による押圧力に伴って軸方向に変位することを阻止するローディングナットとを備えて成るトロイダル型無段変速機を構成する組み付けアセンブリであって且つ前記入力軸と前記入力側ディスクと前記押圧装置とを含む構成部品が一体に組み付けられて成る単一部品を形成する組み付けアセンブリに用いられ、前記組み付けアセンブリにおける前記構成部品同士の相対的な移動を規制するための組み付けアセンブリ用固定具において、
前記入力軸の外周をその長手方向に沿って覆う筒状のシースと、前記ローディングナットが螺合される前記入力軸の前記ネジ部に対して捩じ込まれるナット部材とを備え、
前記ナット部材は、前記ネジ部に捩じ込まれて前記シースの一端に突き当てられることにより、前記シースの他端を前記入力側ディスクに対して当て付け、それにより、前記組み付けアセンブリにおける前記構成部品の軸方向の移動を規制するための押し付け力を前記入力側ディスクに対して作用させることを特徴とする組み付けアセンブリ用固定具。
【請求項２】
前記シースと前記ナット部材とが一体に形成されていることを特徴とする請求項１に記載の組み付けアセンブリ用固定具。
【請求項３】
前記シースは、前記入力軸の外周部位に嵌合される嵌合部をその内面に有していることを特徴とする請求項１または請求項２に記載の組み付けアセンブリ用固定具。
【請求項４】
前記シースは、その内側から外側へと貫く貫通孔を有していることを特徴とする請求項１ないし請求項３のいずれかに記載の組み付けアセンブリ用固定具。
【請求項５】
前記ナット部材は、前記入力軸の外周をその長手方向に沿って覆う筒状部を有していることを特徴とする請求項１ないし請求項４のいずれかに記載の組み付けアセンブリ用固定具。
【請求項６】
前記シースの外周面には、シースの長手中心軸と直交する方向で対向する少なくとも一対の平面部が形成されていることを特徴とする請求項１ないし請求項５のいずれかに記載の組み付けアセンブリ用固定具。
【請求項７】
前記シースの内周面に樹脂コーティングが施されていることを特徴とする請求項１ないし請求項６のいずれかに記載の組み付けアセンブリ用固定具。
【請求項８】
前記シースの内周面には、樹脂、紙またはアルミニウムから成る筒状部材が嵌合状態で同心的に設けられていることを特徴とする請求項１ないし請求項７のいずれかに記載の組み付けアセンブリ用固定具。
【請求項９】
前記シースは、前記入力軸よりも硬度が低い鉄、アルミニウムまたは高強度樹脂によって形成されていることを特徴とする請求項１ないし請求項８のいずれかに記載の組み付けアセンブリ用固定具。
【請求項１０】
前記パワーローラと接触する前記入力側ディスクのトラクション面を覆う保護部材を更に備えていることを特徴とする請求項１ないし請求項９のいずれかに記載の組み付けアセンブリ用固定具。
【請求項１１】
回転トルクが入力される入力軸と、この入力軸に結合されて入力軸と一体で回転する入力側ディスクと、この入力側ディスクとの間に設けられたパワーローラを介して入力側ディスクの回転力を所定の変速比で受ける出力側ディスクと、前記入力側ディスクの背面に配置され且つ前記入力側ディスクを軸方向へ押圧する押圧装置と、前記入力軸の外周面に形成されたネジ部に螺合され且つ前記ディスクの背面に突き当たることにより当該ディスクが前記押圧装置による押圧力に伴って軸方向に変位することを阻止するローディングナットとを備えて成るトロイダル型無段変速機を構成する組み付けアセンブリであって、前記入力軸と前記入力側ディスクと前記押圧装置とを含む構成部品が一体に組み付けられて成る単一部品を形成する組み付けアセンブリにおいて、
前記構成部品同士の相対的な移動を規制するための組み付けアセンブリ用固定具を着脱自在に備え、
前記組み付けアセンブリ用固定具は、前記入力軸の外周をその長手方向に沿って覆う筒状のシースと、前記ローディングナットが螺合される前記入力軸の前記ネジ部に対して捩じ込まれるナット部材とを備え、
前記ナット部材は、前記ネジ部に捩じ込まれて前記シースの一端に突き当てられることにより、前記シースの他端を前記入力側ディスクに対して当て付け、それにより、前記構成部品の軸方向の移動を規制するための押し付け力を前記入力側ディスクに対して作用させることを特徴とする組み付けアセンブリ。
【発明の詳細な説明】
【技術分野】
【０００１】
本発明は、自動車や各種産業機械の変速機などに利用可能なトロイダル型無段変速機の組み付けアセンブリおよび当該組み付けアセンブリに用いられる組み付けアセンブリ用固定具に関する。
【背景技術】
【０００２】
例えば自動車用変速機として用いるダブルキャビティ式トロイダル型無段変速機は、図９及び図１０に示すように構成されている。図９に示すように、ケーシング５０の内側には入力軸１が回転自在に支持されており、この入力軸１の外周には、２つの入力側ディスク２，２と２つの出力側ディスク３，３とが取り付けられている。また、入力軸１の中間部の外周には出力歯車４が回転自在に支持されている。この出力歯車４の中心部に設けられた円筒状のフランジ部４ａ，４ａには、出力側ディスク３，３がスプライン結合によって連結されている。
【０００３】
入力軸１は、図中左側に位置する入力側ディスク２とカム板（ローディングカム）７との間に設けられたローディングカム式の押圧装置１２を介して、駆動軸２２により回転駆動されるようになっている。また、出力歯車４は、２つの部材の結合によって構成された仕切壁１３を介してケーシング５０内に支持されており、これにより、入力軸１の軸線Ｏを中心に回転できる一方で、軸線Ｏ方向の変位が阻止されている。
【０００４】
出力側ディスク３，３は、入力軸１との間に介在されたニードル軸受５，５によって、入力軸１の軸線Ｏを中心に回転自在に支持されている。また、図中左側の入力側ディスク２は、入力軸１にボールスプライン６を介して支持され、図中右側の入力側ディスク２は、入力軸１にスプライン結合されており、これら入力側ディスク２は入力軸１と共に回転するようになっている。また、入力側ディスク２，２の内側面（凹面；トラクション面とも言う）２ａ，２ａと出力ディスク３，３の内側面（凹面；トラクション面とも言う）３ａ，３ａとの間には、パワーローラ１１（図１０参照）が回転自在に挟持されている。
【０００５】
図９中右側に位置する入力側ディスク２の内周面２ｃには、段差部２ｂが設けられ、この段差部２ｂに、入力軸１の外周面１ａに設けられた段差部１ｂが突き当てられるとともに、入力側ディスク２の背面（図９の右面）は、入力軸１の外周面に形成されたネジ部１ｅに螺合されたローディングナット９に突き当てられている。これによって、入力側ディスク２の入力軸１に対する軸線Ｏ方向の変位が実質的に阻止されている。また、カム板７と入力軸１の鍔部１ｄとの間には、皿ばね８が設けられており、この皿ばね８は、各ディスク２，２，３，３の凹面２ａ，２ａ，３ａ，３ａとパワーローラ１１，１１の周面１１ａ，１１ａとの当接部に押圧力を付与する。
【０００６】
図９のＡ−Ａ線に沿う断面図である図１０に示すように、ケーシング５０の内側であって、出力側ディスク３，３の側方位置には、両ディスク３，３を両側から挟む状態で一対のヨーク２３Ａ，２３Ｂが支持されている。これら一対のヨーク２３Ａ，２３Ｂは、鋼等の金属のプレス加工あるいは鍛造加工により矩形状に形成されている。そして、後述するトラニオン１５の両端部に設けられた枢軸１４を揺動自在に支持するため、ヨーク２３Ａ，２３Ｂの四隅には、円形の支持孔１８が設けられるとともに、ヨーク２３Ａ，２３Ｂの幅方向の中央部には、円形の係止孔１９が設けられている。
【０００７】
一対のヨーク２３Ａ，２３Ｂは、ケーシング５０の内面の互いに対向する部分に形成された支持ポスト６４，６８により、僅かに変位できるように支持されている。これらの支持ポスト６４，６８はそれぞれ、入力側ディスク２の内側面２ａと出力側ディスク３の内側面３ａとの間にある第１キャビティ２２１および第２キャビティ２２２にそれぞれ対向する状態で設けられている。
【０００８】
したがって、ヨーク２３Ａ，２３Ｂは、各支持ポスト５４，６８に支持された状態で、その一端部が第１キャビティ２２１の外周部分に対向するとともに、その他端部が第２キャビティ２２２の外周部分に対向している。
【０００９】
第１および第２のキャビティ２２１，２２２は同一構造であるため、以下、第１キャビティ２２１のみについて説明する。
【００１０】
図１０に示すように、ケーシング５０の内側において、第１キャビティ２２１には、入力軸１に対し捻れの位置にある一対の枢軸１４，１４を中心として揺動する一対のトラニオン１５，１５が設けられている。なお、図１０においては、入力軸１の図示は省略している。各トラニオン１５，１５は、その本体部である支持板部１６の長手方向(図１０の上下方向)の両端部に、この支持板部１６の内側面側に折れ曲がる状態で形成された一対の折れ曲がり壁部２０，２０を有している。そして、この折れ曲がり壁部２０，２０によって、各トラニオン１５，１５には、パワーローラ１１を収容するための凹状のポケット部Ｐが形成される。また、各折れ曲がり壁部２０，２０の外側面には、各枢軸１４，１４が互いに同心的に設けられている。
【００１１】
支持板部１６の中央部には円孔２１が形成され、この円孔２１には変位軸２３の基端部（第１の軸部）２３ａが支持されている。そして、各枢軸１４，１４を中心として各トラニオン１５，１５を揺動させることにより、これら各トラニオン１５，１５の中央部に支持された変位軸２３の傾斜角度を調節できるようになっている。また、各トラニオン１５，１５の内側面から突出する変位軸２３の先端部（第２の軸部）２３ｂの周囲には、各パワーローラ１１が回転自在に支持されており、各パワーローラ１１，１１は、各入力側ディスク２，２および各出力側ディスク３，３の間に挟持されている。なお、各変位軸２３，２３の基端部２３ａと先端部２３ｂとは、互いに偏心している。
【００１２】
また、前述したように、各トラニオン１５，１５の枢軸１４，１４はそれぞれ、一対のヨーク２３Ａ，２３Ｂに対して揺動自在および軸方向(図１０の上下方向)に変位自在に支持されており、各ヨーク２３Ａ，２３Ｂにより、トラニオン１５，１５はその水平方向の移動を規制されている。前述したように、各ヨーク２３Ａ，２３Ｂの四隅には円形の支持孔１８が４つ設けられており、これら支持孔１８にはそれぞれ、トラニオン１５の両端部に設けた枢軸１４がラジアルニードル軸受３０を介して揺動自在に支持されている。また、前述したように、ヨーク２３Ａ，２３Ｂの幅方向（図１０の左右方向）の中央部には、円形の係止孔１９が設けられており、この係止孔１９の内周面は球状凹面として、支持ポスト６４，６８を内嵌している。すなわち、上側のヨーク２３Ａは、ケーシング５０に固定部材５２を介して支持されている球面ポスト６４によって揺動自在に支持されており、下側のヨーク２３Ｂは、球面ポスト６８及びこれを支持する駆動シリンダ３１の上側シリンダボディ６１によって揺動自在に支持されている。
【００１３】
なお、各トラニオン１５，１５に設けられた各変位軸２３，２３は、入力軸１に対し、互いに１８０度反対側の位置に設けられている。また、これらの各変位軸２３，２３の先端部２３ｂが基端部２３ａに対して偏心している方向は、両ディスク２，２，３，３の回転方向に対して同方向(図１０で上下逆方向)となっている。また、偏心方向は、入力軸１の配設方向に対して略直交する方向となっている。したがって、各パワーローラ１１，１１は、入力軸１の長手方向に若干変位できるように支持される。その結果、押圧装置１２が発生するスラスト荷重に基づく各構成部材の弾性変形等に起因して、各パワーローラ１１，１１が入力軸１の軸方向に変位する傾向となった場合でも、各構成部材に無理な力が加わらず、この変位が吸収される。
【００１４】
また、パワーローラ１１の外側面とトラニオン１５の支持板部１６の内側面との間には、パワーローラ１１の外側面の側から順に、スラスト転がり軸受であるスラスト玉軸受２４と、スラストニードル軸受２５とが設けられている。このうち、スラスト玉軸受２４は、各パワーローラ１１に加わるスラスト方向の荷重を支承しつつ、これら各パワーローラ１１の回転を許容するものである。このようなスラスト玉軸受２４はそれぞれ、複数個ずつの玉２６，２６と、これら各玉２６，２６を転動自在に保持する円環状の保持器２７と、円環状の外輪２８とから構成されている。また、各スラスト玉軸受２４の内輪軌道は各パワーローラ１１の外側面（大端面）に、外輪軌道は各外輪２８の内側面にそれぞれ形成されている。
【００１５】
また、スラストニードル軸受２５は、トラニオン１５の支持板部１６の内側面と外輪２８の外側面との間に挟持されている。このようなスラストニードル軸受２５は、パワーローラ１１から各外輪２８に加わるスラスト荷重を支承しつつ、これらパワーローラ１１および外輪２８が各変位軸２３の基端部２３ａを中心として揺動することを許容する。
【００１６】
さらに、各トラニオン１５，１５の一端部(図１０の下端部)にはそれぞれ駆動ロッド（枢軸１４から延びる軸部）２９，２９が設けられており、各駆動ロッド２９，２９の中間部外周面に駆動ピストン（油圧ピストン）３３，３３が固設されている。そして、これら各駆動ピストン３３，３３はそれぞれ、上側シリンダボディ６１と下側シリンダボディ６２とによって構成された駆動シリンダ３１内に油密に嵌装されている。これら各駆動ピストン３３，３３と駆動シリンダ３１とで、各トラニオン１５，１５を、これらトラニオン１５，１５の枢軸１４，１４の軸方向に変位させる駆動装置３２を構成している。
【００１７】
このように構成されたトロイダル型無段変速機の場合、駆動軸２２の回転は、押圧装置１２を介して、各入力側ディスク２，２および入力軸１に伝えられる。そして、これら入力側ディスク２，２の回転が、一対のパワーローラ１１，１１を介して各出力側ディスク３，３に伝えられ、更にこれら各出力側ディスク３，３の回転が、出力歯車４より取り出される。
【００１８】
入力軸１と出力歯車４との間の回転速度比を変える場合には、一対の駆動ピストン３３，３３を互いに逆方向に変位させる。これら各駆動ピストン３３，３３の変位に伴って、一対のトラニオン１５，１５が互いに逆方向に変位する。例えば、図１０の左側のパワーローラ１１が同図の下側に、同図の右側のパワーローラ１１が同図の上側にそれぞれ変位する。その結果、これら各パワーローラ１１，１１の周面１１ａ，１１ａと各入力側ディスク２，２および各出力側ディスク３，３の内側面２ａ，２ａ，３ａ，３ａとの当接部に作用する接線方向の力の向きが変化する。そして、この力の向きの変化に伴って、各トラニオン１５，１５が、ヨーク２３Ａ，２３Ｂに枢支された枢軸１４，１４を中心として、互いに逆方向に揺動する。
【００１９】
その結果、各パワーローラ１１，１１の周面１１ａ，１１ａと各内側面２ａ，３ａとの当接位置が変化し、入力軸１と出力歯車４との間の回転速度比が変化する。また、これら入力軸１と出力歯車４との間で伝達するトルクが変動し、各構成部材の弾性変形量が変化すると、各パワーローラ１１，１１及びこれら各パワーローラ１１，１１に付属の外輪２８，２８が、各変位軸２３，２３の基端部２３ａ、２３ａを中心として僅かに回動する。これら各外輪２８，２８の外側面と各トラニオン１５，１５を構成する支持板部１６の内側面との間には、それぞれスラストニードル軸受２５，２５が存在するため、前記回動は円滑に行われる。したがって、前述のように各変位軸２３，２３の傾斜角度を変化させるための力が小さくて済む。
【００２０】
ところで、以上のようなトロイダル型無段変速機では、製造時の組立段階で、入力軸１と左側の入力ディスク２と押圧装置１２とが一体に組み付けられた組み付けアセンブリ（以下、インプットディスクアセンブリという）が、単一の部品として搬送されて他の部品に対して組み付けられる。図１１は、そのようなインプットディスクアセンブリ７０の一構造例を示している。このインプットディスクアセンブリ７０では、入力軸１の鍔部１ｄとローディングカム装置１２を構成するカム板７との間にスラスト荷重を支承するスラスト玉軸受１６６が設けられており、また、スラスト玉軸受１６６の外輪であるスリーブ１２０の外向鍔部１２０ａとカム板７の中間部外側面との間に皿ばね（予圧ばね）１７０が配置されている。また、スリーブ１２０の径方向内側部分と入力側ディスク２との間には、スリーブ１２０側から順に、スラストニードル軸受１５５と前述した皿ばね（予圧ばね）８とが軸方向に互いに直列に配置されている。
【００２１】
しかしながら、このような構成のインプットディスクアセンブリ７０にあっては、アセンブリを構成する各構成部品が軸方向に自由に動くことができる（図１２中に矢印で示すように遊動してしまう）ため、組み立て等の目的でインプットディスクアセンブリ７０を搬送する際には、前記各構成部品の軸方向の移動を規制して、これらの構成部品を所定の位置に正確に位置決めしておく（あるいは、各構成部品が入力軸１に対して外れない（ばらばらにならない）ようにしておく）必要がある。また、運搬時に振動等により構成部品に傷、打痕、フレッチングが発生しないように、予圧皿ばね８を図１１に示すように撓ませて、押圧装置１２（特にカムローラ）のガタｇを無くす必要もある。
【００２２】
そのため、従来技術では、カム板（ローディングカム）７、カムリテーナ、ディスク２にネジ穴や貫通穴を設け、これらの部品同士をボルトによって互いに押し付けることにより、ガタｇを無くすようにしている（例えば、特許文献１ないし特許文献４参照）。また、図１３に示すように、入力側ディスク２の外周部に治具１００を引っ掛け、入力側ディスク２をカム板７に対して押し付けることも提案されている（例えば、特許文献５参照）。
【００２３】
【特許文献１】特許第２６６６６０８号
【特許文献１】特許第３２９６２９０号
【特許文献１】特許第３４２４５６０号
【特許文献１】特開２０００−１９３０５６号公報
【特許文献１】特開２００１−４００１号公報
【発明の開示】
【発明が解決しようとする課題】
【００２４】
しかしながら、特許文献１ないし特許文献４に開示されているように、インプットディスクアセンブリ７０を構成する各構成部品に運転上必要が無い穴を設けてしまうと、加工コストが増加するだけでなく、穴部への応力集中による強度低下を招く虞がある。
【００２５】
また、特許文献５に開示されているように、入力側ディスク２の外周部に治具１００を引っ掛ける案では、図１３の（ａ）に示すように入力側ディスク２のトラクション面２ａに溝底２ｄがある場合には治具１００がトラクション面２ａと接触しないため問題がないが、図１３の（ｂ）に示すように入力側ディスク２のトラクション面２ａに溝底２ｄが無い場合には治具１００の端縁１００ａがトラクション面２ａと接触してしまい、トラクション面２ａを傷付けてしまう可能性がある。
【００２６】
本発明は、前記事情に鑑みて為されたもので、トロイダル型無段変速機の組み付けアセンブリを構成する構成部品に加工を施すことなく且つ当該構成部品を傷付けることなく、組み付けアセンブリにおける構成部品同士の相対的な移動を防止できる組み付けアセンブリ用固定具、および、そのような組み付けアセンブリ用固定具を備えた組み付けアセンブリを提供することを目的とする。
【課題を解決するための手段】
【００２７】
前記目的を達成するために、請求項１に記載の組み付けアセンブリ用固定具は、回転トルクが入力される入力軸と、この入力軸に結合されて入力軸と一体で回転する入力側ディスクと、この入力側ディスクとの間に設けられたパワーローラを介して入力側ディスクの回転力を所定の変速比で受ける出力側ディスクと、前記入力側ディスクの背面に配置され且つ前記入力側ディスクを軸方向へ押圧する押圧装置と、前記入力軸の外周面に形成されたネジ部に螺合され且つ前記ディスクの背面に突き当たることにより当該ディスクが前記押圧装置による押圧力に伴って軸方向に変位することを阻止するローディングナットとを備えて成るトロイダル型無段変速機を構成する組み付けアセンブリであり且つ前記入力軸と前記入力側ディスクと前記押圧装置とを含む構成部品が一体に組み付けられて成る単一部品を形成する組み付けアセンブリに用いられ、前記組み付けアセンブリにおける前記構成部品同士の相対的な移動を規制するための組み付けアセンブリ用固定具であって、前記入力軸の外周をその長手方向に沿って覆う筒状のシースと、前記ローディングナットが螺合される前記入力軸の前記ネジ部に対して捩じ込まれるナット部材とを備え、前記ナット部材は、前記ネジ部に捩じ込まれて前記シースの一端に突き当てられることにより、前記シースの他端を前記入力側ディスクに対して当て付け、それにより、前記組み付けアセンブリにおける前記構成部品の軸方向の移動を規制するための押し付け力を前記入力側ディスクに対して作用させることを特徴とする。
【００２８】
この請求項１に記載された発明においては、ローディングナットが螺合される入力軸の既存のネジ部を利用してナット部材を捩じ込むとともに、このナット部材によって入力軸の外周を単に覆うだけのシースを入力側ディスクに対して当て付け、それにより、組み付けアセンブリにおける構成部品の軸方向の移動を規制するための押し付け力を入力側ディスクに対して作用させるようにしているため、組み付けアセンブリを構成する構成部品に加工を施すことなく（従来のようにカム板、カムリテーナ、ディスクにネジ穴や貫通穴を設けることなく）且つ当該構成部品を傷付けることなく、組み付けアセンブリにおける構成部品同士の相対的な移動（例えば、押圧装置のガタ）を防止することができる。すなわち、上記構成の組み付けアセンブリ用固定具によれば、加工コストを増加させることなく、強度低下を招くことなく、組み立て等の目的で組み付けアセンブリを搬送する際にも、組み付けアセンブリの構成部品を所定の位置に正確に位置決めしておく（あるいは、各構成部品が入力軸に対して外れない（ばらばらにならない）ようにしておく）ことができ、運搬時の振動等により構成部品に傷、打痕、フレッチングが発生することも防止できる。更に、上記構成によれば、シースによって入力軸の外周面を保護することもできる。また、入力側ディスクの外周部に治具を引っ掛けることもないため、入力側ディスクのトラクション面を傷付けてしまうこともない。
【００２９】
また、請求項２に記載された組み付けアセンブリ用固定具は、請求項１に記載された発明において、前記シースと前記ナット部材とが一体に形成されていることを特徴とする。
【００３０】
この請求項２に記載された発明においては、前記シースと前記ナット部材とが一体に形成されているため、部品点数を減らすことができ、コストを削減することもできる。
【００３１】
また、請求項３に記載された組み付けアセンブリ用固定具は、請求項１または請求項２に記載された発明において、前記シースは、前記入力軸の外周部位に嵌合される嵌合部をその内面に有していることを特徴とする。
【００３２】
この請求項３に記載された発明においては、前記嵌合部により入力軸に対するシースの位置決めを行なうことができるため、組み付けアセンブリに対するシースの組み付けを安定的に且つ容易に行なうことができ、また、シースによって入力側ディスクを正確に押さえることができる。
【００３３】
また、請求項４に記載された組み付けアセンブリ用固定具は、請求項１ないし請求項３のいずれかに記載された発明において、前記シースは、その内側から外側へと貫く貫通孔を有していることを特徴とする。
【００３４】
この請求項４に記載された発明においては、前記貫通孔を通じて洗浄液をシースの内外に流通させることができるため、シースの洗浄を簡単かつ十分に行なうことができ、シースから汚染物を確実に除去することができる。また、シースに前記貫通孔が設けられているので、アッセンブリ状態で入力軸やディスク等の部品の洗浄が可能ないし容易になる。
【００３５】
また、請求項５に記載された組み付けアセンブリ用固定具は、請求項１ないし請求項４のいずれかに記載された発明において、前記ナット部材は、前記入力軸の外周をその長手方向に沿って覆う筒状部を有していることを特徴とする。
【００３６】
この請求項５に記載された発明においては、前記筒状部によって入力軸を保護することができ、搬送時において入力軸に傷や打痕が生じることを防止できる。
【００３７】
また、請求項６に記載された組み付けアセンブリ用固定具は、請求項１ないし請求項５のいずれかに記載された発明において、前記シースの外周面には、シースの長手中心軸と直交する方向で対向する少なくとも一対の平面部が形成されていることを特徴とする。
【００３８】
この請求項６に記載された発明においては、前記平面部を利用してナット部材の締め付け及び取り外しを容易に行なうことができる。
【００３９】
また、請求項７に記載された組み付けアセンブリ用固定具は、請求項１ないし請求項６のいずれかに記載された発明において、前記シースの内周面に樹脂コーティングが施されていることを特徴とする。
【００４０】
この請求項７に記載された発明においては、組み付けアセンブリに対してシースを脱着する際にシースが入力軸に当っても、前記樹脂コーティングの存在により、入力軸が傷付くことを防止できる。
【００４１】
また、請求項８に記載された組み付けアセンブリ用固定具は、請求項１ないし請求項７のいずれかに記載された発明において、前記シースの内周面には、樹脂、紙またはアルミニウムから成る筒状部材が嵌合状態で同心的に設けられていることを特徴とする。
【００４２】
この請求項８に記載された発明においては、組み付けアセンブリに対してシースを脱着する際にシースが入力軸に当っても、前記筒状部材の存在により、入力軸が傷付くことを防止できる。
【００４３】
また、請求項９に記載された組み付けアセンブリ用固定具は、請求項１ないし請求項８のいずれかに記載された発明において、前記シースは、前記入力軸よりも硬度が低い鉄、アルミニウムまたは高強度樹脂によって形成されていることを特徴とする。
【００４４】
この請求項９に記載された発明においては、シースの硬度が入力軸のそれよりも低いため、組み付けアセンブリに対してシースを脱着する際にシースが入力軸に当っても、入力軸が傷付くことを防止できる。
【００４５】
また、請求項１０に記載された組み付けアセンブリ用固定具は、請求項１ないし請求項９のいずれかに記載された発明において、前記パワーローラと接触する前記入力側ディスクのトラクション面を覆う保護部材を更に備えていることを特徴とする。
【００４６】
この請求項１０に記載された発明においては、前記保護部材によって入力側ディスクのトラクション面を保護することができ、前記トラクション面が傷付くことを防止できる。
【００４７】
また、請求項１１に記載の組み付けアセンブリは、回転トルクが入力される入力軸と、この入力軸に結合されて入力軸と一体で回転する入力側ディスクと、この入力側ディスクとの間に設けられたパワーローラを介して入力側ディスクの回転力を所定の変速比で受ける出力側ディスクと、前記入力側ディスクの背面に配置され且つ前記入力側ディスクを軸方向へ押圧する押圧装置と、前記入力軸の外周面に形成されたネジ部に螺合され且つ前記ディスクの背面に突き当たることにより当該ディスクが前記押圧装置による押圧力に伴って軸方向に変位することを阻止するローディングナットとを備えて成るトロイダル型無段変速機を構成する組み付けアセンブリであり且つ前記入力軸と前記入力側ディスクと前記押圧装置とを含む構成部品が一体に組み付けられて成る単一部品を形成する組み付けアセンブリであって、前記構成部品同士の相対的な移動を規制するための組み付けアセンブリ用固定具を着脱自在に備え、前記組み付けアセンブリ用固定具は、前記入力軸の外周をその長手方向に沿って覆う筒状のシースと、前記ローディングナットが螺合される前記入力軸の前記ネジ部に対して捩じ込まれるナット部材とを備え、前記ナット部材は、前記ネジ部に捩じ込まれて前記シースの一端に突き当てられることにより、前記シースの他端を前記入力側ディスクに対して当て付け、それにより、前記構成部品の軸方向の移動を規制するための押し付け力を前記入力側ディスクに対して作用させることを特徴とする。
【００４８】
この請求項１１に記載された発明においても、請求項１と同様の作用効果を得ることができる。
【発明の効果】
【００４９】
本発明によれば、トロイダル型無段変速機の組み付けアセンブリを構成する構成部品に加工を施すことなく且つ当該構成部品を傷付けることなく、組み付けアセンブリにおける構成部品同士の相対的な移動を防止できる。
【発明を実施するための最良の形態】
【００５０】
以下、図面を参照しながら、本発明の実施形態について説明する。なお、本発明の特徴は、入力軸と入力側ディスクと押圧装置とを含む構成部品が一体に組み付けられて成る組み付けアセンブリにおける前記構成部品同士の相対的な移動を規制するための組み付けアセンブリ用固定具の構造にあり、その他の構成および作用は前述した従来の構成および作用と同様であるため、以下においては、本発明の特徴部分についてのみ言及し、それ以外の部分については、図９〜図１３と同一の符号を付して簡潔に説明するに留める。
【００５１】
図１は、本発明の第１の実施形態に係る組み付けアセンブリ用固定具１２１が、入力軸１と入力側ディスク２と押圧装置１２とを含む構成部品が一体に組み付けられて成る単一部品を形成する組み付けアセンブリ７０に対して着脱自在に取り付けられた状態を示している。図示のように、本実施形態のアセンブリ用固定具１２１は、組み付けアセンブリ７０における前記構成部品同士の相対的な移動を規制するためのものであり、入力軸１の外周をその長手方向に沿って覆う筒状のシース１２２と、ローディングナット９（図９参照）が螺合される入力軸１のネジ部１ｅに対して捩じ込まれるナット部材１２４とを備えている。本実施形態において、シース１２２は入力軸１をその略全長にわたって覆っているとともに、入力軸１よりも硬度が低い鉄、アルミニウムまたは高強度樹脂によって形成されている。また、ナット部材１２４は、ネジ部１ｅに捩じ込まれてシース１２２の一端に突き当てられることにより、シース１２２の他端を入力側ディスク２の端面２ｅに対して当て付け、それにより、組み付けアセンブリ７０における構成部品（例えば、入力側ディスク、押圧装置１２、カム板７等）の軸方向の移動を規制するための押し付け力を入力側ディスク２に対して作用させる。
【００５２】
このような構成によれば、ローディングナット９（図９参照）が螺合される入力軸１の既存のネジ部１ｅを利用してナット部材１２４を捩じ込むとともに、このナット部材１２４によって入力軸１の外周を単に覆うだけのシース１２２を入力側ディスク２に対して当て付け、それにより、組み付けアセンブリ７０における構成部品（例えば、入力側ディスク、押圧装置１２、カム板７等）の軸方向の移動を規制するための押し付け力を入力側ディスク２に対して作用させるようにしているため、組み付けアセンブリ７０を構成する構成部品に加工を施すことなく（従来のようにカム板７、カムリテーナ、ディスク２にネジ穴や貫通穴を設けることなく）且つ当該構成部品を傷付けることなく、組み付けアセンブリ７０における構成部品同士の相対的な移動（例えば、押圧装置１２のガタ）を防止することができる。すなわち、上記構成の組み付けアセンブリ用固定具１２１によれば、加工コストを増加させることなく、強度低下を招くことなく、組み立て等の目的で組み付けアセンブリ７０を搬送する際にも、組み付けアセンブリ７０の構成部品を所定の位置に正確に位置決めしておく（あるいは、各構成部品が入力軸１に対して外れない（ばらばらにならない）ようにしておく）ことができ、運搬時の振動等により構成部品に傷、打痕、フレッチングが発生することも防止できる。更に、上記構成によれば、シース１２２によって入力軸１の外周面を保護することもできる。また、入力側ディスク２の外周部に治具を引っ掛けることもないため、入力側ディスク２のトラクション面２ａを傷付けてしまうこともない。また、シース１２２の硬度が入力軸１のそれよりも低いため、組み付けアセンブリ７０に対してシース１２２を脱着する際にシース１２２が入力軸１に当っても、入力軸１が傷付くことを防止できる。
【００５３】
図２は、本発明の第２の実施形態に係る組み付けアセンブリ用固定具１２１が組み付けアセンブリ７０に対して着脱自在に取り付けられた状態を示している。図示のように、本実施形態のアセンブリ用固定具１２１では、シース１２２とナット部材１２４とが一体に形成されている。なお、それ以外の構成は第１の実施形態と同一である。
【００５４】
このような構成によれば、シース１２２とナット部材１２４とが一体に形成されているため、部品点数を減らすことができ、コストを削減することもできる。
【００５５】
図３は、本発明の第３の実施形態に係る組み付けアセンブリ用固定具１２１が組み付けアセンブリ７０に対して着脱自在に取り付けられた状態を示している。図示のように、本実施形態のアセンブリ用固定具１２１において、シース１２２の内周面には、入力軸１の外周部位（図では、径方向に突出する凸部）１ｆに嵌合される嵌合部１２２ａが設けられている。なお、それ以外の構成は第１の実施形態と同一である。
【００５６】
このような構成によれば、嵌合部１２２ａにより入力軸１に対するシース１２２の位置決めを行なうことができるため、組み付けアセンブリ７０に対するシース１２２の組み付けを安定的に且つ容易に行なうことができ、また、シース１２２によって入力側ディスク２を正確に押さえることができる。
【００５７】
図４は、本発明の第４の実施形態に係る組み付けアセンブリ用固定具１２１が組み付けアセンブリ７０に対して着脱自在に取り付けられた状態を示している。図示のように、本実施形態のアセンブリ用固定具１２１において、シース１２２は、その内側から外側へと貫く複数の貫通孔１２５を有している。この場合、貫通孔１２５は、シース１２２の長手方向に沿ってほぼ等間隔で設けられるとともに、シース１２２の周方向に沿って等しい角度間隔で設けられている。なお、それ以外の構成は第１の実施形態と同一である。
【００５８】
このような構成によれば、貫通孔１２５を通じて洗浄液をシース１２２の内外に流通させることができるため、シース１２２の洗浄を簡単かつ十分に行なうことができ、シース１２２から汚染物を確実に除去することができる。また、シース１２２に貫通孔１２５が設けられているので、アッセンブリ状態で入力軸１やディスク２等の部品の洗浄が可能ないし容易になる。
【００５９】
図５は、本発明の第５の実施形態に係る組み付けアセンブリ用固定具１２１が組み付けアセンブリ７０に対して着脱自在に取り付けられた状態を示している。図示のように、本実施形態のアセンブリ用固定具１２１において、ナット部材１２４は、入力軸１の外周をその長手方向に沿って覆う筒状部材として形成されている。本実施形態において、この筒状部材は、ネジ部１ｅに螺合されるナット部１２４ａと、ネジ部１ｅから入力軸１の端部へと延びる入力軸１の外周部位を外側から覆う筒状部１２４ｂとから成る。また、筒状部１２４ｂは、入力軸１の端面と対向する対向部１２４ｃを有している。なお、それ以外の構成は第１の実施形態と同一である。
【００６０】
このような構成によれば、ナット部材１２４の筒状部１２４ｂによって入力軸１を保護することができ、搬送時において入力軸１に傷や打痕が生じることを防止できる。
【００６１】
図６は、本発明の第６の実施形態に係る組み付けアセンブリ用固定具１２１が組み付けアセンブリ７０に対して着脱自在に取り付けられた状態を示している。図示のように、本実施形態のアセンブリ用固定具１２１において、シース１２２の外周面には、シース１２２の長手中心軸Ｏと直交する方向で対向する少なくとも一対の平面部（二面幅）１２２ｂ，１２２ｂが形成されている。なお、それ以外の構成は第１の実施形態と同一である。
【００６２】
このような構成によれば、平面部１２２ｂ，１２２ｂを利用してナット部材１２４の締め付け及び取り外しを容易に行なうことができる。
【００６３】
図７は、本発明の第７の実施形態に係る組み付けアセンブリ用固定具１２１が組み付けアセンブリ７０に対して着脱自在に取り付けられた状態を示している。図示のように、本実施形態のアセンブリ用固定具１２１では、シース１２２の内周面に樹脂コーティング１３０が施されている。なお、それ以外の構成は第１の実施形態と同一である。
【００６４】
このような構成によれば、組み付けアセンブリ７０に対してシース１２２を脱着する際にシース１２２が入力軸１に当っても、樹脂コーティング１３０の存在により、入力軸１が傷付くことを防止できる。
【００６５】
なお、シース１２２の内周面に樹脂コーティング１３０を設ける代わりに、樹脂、紙またはアルミニウムから成る筒状部材１３０をシース１２２の内周面に嵌合状態で同心的に設けても良い。
【００６６】
図８は、本発明の第８の実施形態に係る組み付けアセンブリ用固定具１２１が組み付けアセンブリ７０に対して着脱自在に取り付けられた状態を示している。図示のように、本実施形態のアセンブリ用固定具１２１は、パワーローラ１１（図１０参照）と接触する入力側ディスク２のトラクション面２ａを覆う保護部材１４０を更に備えている。この場合、保護部材１４０は、入力側ディスク２のトラクション面２ａに沿って延びる第１の保護部１４０ａと、入力軸１の長手中心軸（軸線）Ｏと略平行に延び且つ押圧装置のローラおよび入力側ディスクの外周端面を覆う第２の保護部１４０ｂと、ナット部材１２４と反対側に位置してシース１２２の他端に配置され且つシース１２２が入力側ディスク２に対して当て付けられる際にシース１２２と入力側ディスク２との間で挟持される基端部１４０ｃとから成る。
【００６７】
このような構成によれば、保護部材１４０によって入力側ディスク２のトラクション面２ａを保護することができ、トラクション面２ａが傷付くことを防止できる。
【産業上の利用可能性】
【００６８】
本発明は、シングルキャビティ型やダブルキャビティ型などの様々なハーフトロイダル型無段変速機の他、トラニオンが無いフルトロイダル型無段変速機にも適用することができる。
【図面の簡単な説明】
【００６９】
【図１】本発明の第１の実施形態に係る組み付けアセンブリ用固定具が組み付けアセンブリに対して着脱自在に取り付けられた状態を示す要部断面図である。
【図２】本発明の第２の実施形態に係る組み付けアセンブリ用固定具が組み付けアセンブリに対して着脱自在に取り付けられた状態を示す要部断面図である。
【図３】本発明の第３の実施形態に係る組み付けアセンブリ用固定具が組み付けアセンブリに対して着脱自在に取り付けられた状態を示す要部断面図である。
【図４】本発明の第４の実施形態に係る組み付けアセンブリ用固定具が組み付けアセンブリに対して着脱自在に取り付けられた状態を示す要部断面図である。
【図５】本発明の第５の実施形態に係る組み付けアセンブリ用固定具が組み付けアセンブリに対して着脱自在に取り付けられた状態を示す要部断面図である。
【図６】（ａ）は本発明の第６の実施形態に係る組み付けアセンブリ用固定具が組み付けアセンブリに対して着脱自在に取り付けられた状態を示す要部断面図、（ｂ）は（ａ）のＢ−Ｂ線に沿う断面図である。
【図７】本発明の第７の実施形態に係る組み付けアセンブリ用固定具が組み付けアセンブリに対して着脱自在に取り付けられた状態を示す要部断面図である。
【図８】本発明の第８の実施形態に係る組み付けアセンブリ用固定具が組み付けアセンブリに対して着脱自在に取り付けられた状態を示す要部断面図である。
【図９】従来から知られているトロイダル型無段変速機の具体的構造の一例を示す断面図である。
【図１０】図９のＡ−Ａ線に沿う断面図である。
【図１１】組み付けアセンブリの一構造例を示す断面図である。
【図１２】図１１の組み付けアセンブリにおいて皿ばねを撓ませた状態を示す断面図である。
【図１３】（ａ）はトラクション面に溝底がある入力側ディスクに治具を引っ掛けた状態を示す断面図、（ｂ）はトラクション面に溝底が無い入力側ディスクに治具を引っ掛けた状態を示す断面図である。
【符号の説明】
【００７０】
１    入力軸
１ｅ    ネジ部
２    入力側ディスク
３    出力側ディスク
７    カム板（ローディングカム）
９    ローディングナット
１１    パワーローラ
７０    組み付けアセンブリ
１２１    組み付けアセンブリ用固定具
１２２    シース
１２２ａ    嵌合部
１２２ｂ    平面部
１２４    ナット部材
１２４ｂ    筒状部
１２５    貫通孔
１３０    樹脂コーティング、筒状部材
１４０    保護部材
【図１】
0004735970.tif 000002
【図２】
0004735970.tif 000003
【図３】
0004735970.tif 000004
【図４】
0004735970.tif 000005
【図５】
0004735970.tif 000006
【図６】
0004735970.tif 000007
【図７】
0004735970.tif 000008
【図８】
0004735970.tif 000009
【図９】
0004735970.tif 000010
【図１０】
0004735970.tif 000011
【図１１】
0004735970.tif 000012
【図１２】
0004735970.tif 000013
【図１３】
0004735970.tif 000014